(57)【特許請求の範囲】
【請求項１】
机と本棚とを組み合わせ使用するシステム机であって、
机は、天板と、右脚板とを有し、左脚板はなく、天板の左側縁部が本棚によって支持される構成であり、
本棚は、その正面側幅方向が机の前記天板の左側縁部に沿って位置するように、前記天板の左側縁部に直交方向に組み合わされていて、
本棚は、下段部を有し、前記下段部の上面と机の前記天板の上面とが面一になるように、前記下段部で机の前記天板の左側縁部を支持しており、
本棚は、前記下段部の上に、中段部および上段部が積み上げられた第１の使用態様を採ることができるとともに、
前記中段部が前記下段部から取り外され、前記下段部の上に直接前記上段部が載せられ、前記中段部が、その左側板が前記中段部の左側縁から退避させられて、かつ机の前記天板の後ろ部分に９０°回した状態で載せられ、前記中段部の背板左側縁と前記上段部の右側板とが固定連結された第２の使用態様を採ることができることを特徴とするシステム机。
【請求項２】
机と本棚とを組み合わせ使用するシステム机であって、
机は、天板と、右脚板とを有し、左脚板はなく、天板の左側縁部が本棚によって支持される構成であり、
本棚は、その正面側幅方向が机の前記天板の左側縁部に沿って位置するように、前記天板の左側縁部に直交方向に組み合わされていて、
本棚は、下段部を有し、前記下段部の上面と机の前記天板の上面とが面一になるように、前記下段部で机の前記天板の左側縁部を支持しており、
本棚は、前記下段部の上に、中段部および上段部が積み上げられた第１の使用態様を採ることができるとともに、
前記上段部が前記中段部から取り外され、その上段部が、その左側板が前記上段部の左側縁から退避させられて、かつ机の前記天板の後ろ部分に９０°回した状態で載せられ、前記上段部の背板左側縁と前記中段部の右側板とが固定連結された第２の使用態様を採ることができることを特徴とするシステム机。
【請求項３】
前記天板の左右を入れ換えるとともに、本棚の前記中段部および前記上段部の左右側板の左右を入れ換えた構成であることを特徴とする、請求項１または２記載のシステム机。
【発明の詳細な説明】
【技術分野】
【０００１】
この発明は、机と本棚とを組み合わせ使用するシステム机に関する。
【背景技術】
【０００２】
従来から、机と、独立して使用可能な自立型本棚とを組み合わせ使用するシステム机に関する種々の提案がなされている。たとえば下記特許文献１では、本棚を上下分割構造にするとともに、本棚の上段部を、机の上に載せることが可能な構成にしたシステム机が提案されている。このシステム机では、本棚を机から分離して独立して使用することもできるし、また、本棚の上段部を机の上に載せてブックスタンドとして使用することもできる。
【先行技術文献】
【特許文献】
【０００３】
【特許文献１】特開２００８−２２９２２０号公報
【発明の概要】
【発明が解決しようとする課題】
【０００４】
本願発明者らは、上下３分割された本棚を採用し、その本棚を、その正面側幅方向が机の天板の一方側縁部に沿って位置するように（前後方向に沿うように）、天板の一方側縁部に直交方向に組み合わせたシステム机を検討している。そして、たとえば、天板の左側縁部に本棚を配置する場合、机から左脚板を取り除き、本棚の下段部の上面と天板の上面とが面一になるように、当該下段部で天板の左側縁部を支持する構成を検討している。
【０００５】
また、本願発明者らは、このシステム机において、本棚を構成するユニットの１つだけを机の天板上に載せて机のブックスタンドとして使用することも検討している。具体的には、本棚のたとえば上段部を中段部から取り外して、その正面が前方を向くように９０°回した状態で、机の天板上に載せることを検討している。そして、本棚の他の部分、すなわち下段部および中段部を、引き続き本棚として使用する。このとき、机の上に載せられた上段部と、下段部の上にある中段部とが横隣になっている場合には、さらに上段部と中段部とが接近して配置されていると、机の上にある上段部の左側板が邪魔になって、本棚（中段部）に対する書籍の出し入れを阻害するおそれがある。
【０００６】
また、本棚の上段部ではなく中段部を机の天板上に載せることも考えられる。中段部を机の天板上に載せる場合には、本棚の中段部を下段部から取り外して、その正面が前方を向くように９０°回した状態で机の天板上に載せる。そして、本棚の他の部分、すなわち下段部および上段部については、下段部の上に上段部を直接載せることにより、引き続き本棚として使用する。このとき、机の上に載せられた中段部と、下段部の上に載せられた上段部とが横隣になっている場合には、さらに中段部と上段部とが接近して配置されていると、机の上にある中段部の左側板が邪魔になって、本棚（上段部）に対する書籍の出し入れを阻害するおそれがある。
【０００７】
この発明は、かかる背景のもとになされたもので、本棚の使用態様を切り換えることができるとともに、いずれの使用態様においても本棚に対する書籍の出し入れを良好に行うことができるシステム机を提供することを目的とする。
【課題を解決するための手段】
【０００８】
前記の目的を達成するための請求項１記載の発明は、机（２）と本棚（３）とを組み合わせ使用するシステム机（１）であって、机は、天板（４）と、右脚板（５）とを有し、左脚板はなく、天板の左側縁部（４ｂ）が本棚によって支持される構成であり、本棚は、その正面側幅方向（Ｘ１）が机の前記天板の左側縁部に沿って位置するように、前記天板の左側縁部に直交方向に組み合わされていて、本棚は、下段部（１１）を有し、前記下段部の上面と机の前記天板の上面とが面一になるように、前記下段部で机の前記天板の左側縁部を支持しており、本棚は、前記下段部の上に、中段部（１２）および上段部（１３）が積み上げられた第１の使用態様を採ることができるとともに、前記中段部が前記下段部から取り外され、前記下段部の上に直接前記上段部が載せられ、前記中段部が、その左側板（３１）が前記中段部の左側縁から退避させられて、かつ机の前記天板の後ろ部分に９０°回した状態で載せられ、前記中段部の背板（３３）左側縁と前記上段部の右側板（４２）とが固定連結された第２の使用態様を採ることができることを特徴とするシステム机である。
【０００９】
なお、この明細書において、「左側板が前記中段部の左側縁から退避させられる」とは、左側板が前記中段部の左側縁から取り外される場合、および左側板が前記中段部における他の部分に変位させられる場合の双方を含む趣旨である。
また、前記の目的を達成するための請求項２記載の発明は、机（２）と本棚（３）とを組み合わせ使用するシステム机（１）であって、机は、天板（４）と、右脚板（５）とを有し、左脚板はなく、天板の左側縁部（４ｂ）が本棚によって支持される構成であり、本棚は、その正面側幅方向（Ｘ１）が机の前記天板の左側縁部に沿って位置するように、前記天板の左側縁部に直交方向に組み合わされていて、本棚は、下段部（１１）を有し、前記下段部の上面と机の前記天板の上面とが面一になるように、前記下段部で机の前記天板の左側縁部を支持しており、本棚は、前記下段部の上に、中段部（１２）および上段部（１３）が積み上げられた第１の使用態様を採ることができるとともに、前記上段部が前記中段部から取り外され、その上段部が、その左側板（４１）が前記上段部の左側縁から退避させられて、かつ机の前記天板の後ろ部分に９０°回した状態で載せられ、前記上段部の背板（４４）左側縁と前記中段部の右側板（３２）とが固定連結された第２の使用態様を採ることができることを特徴とするシステム机である。
【００１０】
なお、この明細書において、「左側板が前記上段部の左側縁から退避させられる」とは、左側板が前記上段部の左側縁から取り外される場合、および左側板が前記上段部における他の部分に変位させられる場合の双方を含む趣旨である。
請求項３記載の発明は、前記天板の左右を入れ換えるとともに、本棚の前記中段部および前記上段部の左右側板の左右を入れ換えた構成であることを特徴とする、請求項１または２記載のシステム机である。
【００１１】
なお、括弧内の英数字は、後述の実施形態における対応構成要素等を表すが、特許請求の範囲を実施形態に限定する趣旨ではない。次の項において同じ。
【発明の効果】
【００１２】
請求項１記載の発明によれば、本棚は、その正面側幅方向が机の天板の左側縁部に沿って位置するように、天板の左側縁部に直交方向に組み合わされている。また、本棚の使用態様を、下段部の上に中段部および上段部が積み上げられた第１の使用態様と、中段部が机の天板の上に、９０°回した状態で載せられるとともに、下段部の上に直接上段部が載せられた第２の使用態様とに切り換えることができる。
【００１３】
本棚の第１の使用態様では、下段部の上に中段部および上段部が積み上げられているので、本棚の各ユニットに対して、書籍の出し入れを良好に行うことができる。
一方、本棚の第２の使用態様では、机の上に載せられた中段部と下段部の上に載置された上段部とが横隣になることがあり、そのため、上段部の正面に中段部が対向配置されることが考えられる。しかしながら、この第２の使用態様では、机の上にある中段部の左側縁から左側板が退避させられているから、上段部に対する書籍の出し入れの際に中段部が邪魔にならない。したがって、本棚の第２の使用態様において、本棚（上段部）に対する書籍の出し入れを良好に行うことができる。これにより、第１および第２の使用態様のいずれにおいても、本棚に対する書籍の出し入れを良好に行うことができる。
【００１４】
また、この発明の一実施形態に係るシステム机における第２の使用態様において、前記中段部の前記左側板が取り外される構成であってもよい。この場合、机の上にある中段部から左側板が取り外されているから、本棚（上段部）に対する書籍の出し入れの際に中段部が邪魔にならない。したがって、本棚の第２の使用態様において、本棚（上段部）に対する書籍の出し入れを良好に行うことができる。
【００１５】
また、この発明の他の実施形態に係るシステム机における第２の使用態様において、前記中段部の前記左側板が、前記中段部の前記背板左側縁に、当該背板左側縁まわりに回転可能に連結される構成であり、第２の使用態様では、前記左側板を前記背板左側縁まわりに回動して、当該左側板が前記上段部の後方に配置される構成であってもよい。この場合、左側板が上段部の後方に配置されているから、本棚（上段部）に対する書籍の出し入れの際に中段部が邪魔にならない。また、左側板を取り外す構成と比較して、取り外した左側板を収納するための場所を別途設ける必要がない。
【００１６】
また、第２の使用態様では、前記中段部の背板左側縁と前記上段部の右側板とがジョイント金具（５０）やその他の連結具によって固定連結されていてもよい。
請求項２記載の発明によれば、本棚は、その正面側幅方向が机の天板の左側縁部に沿って位置するように、天板の左側縁部に直交方向に組み合わされている。また、本棚の使用態様を、下段部の上に中段部および上段部が積み上げられた第１の使用態様と、上段部が中段部から取り外されて、机の天板の上に、９０°回した状態で載せられる第２の使用態様とに切り換えることができる。
【００１７】
本棚の第１の使用態様では、下段部の上に中段部および上段部が積み上げられているので、本棚の各ユニットに対して、書籍の出し入れを良好に行うことができる。
一方、本棚の第２の使用態様では、机の上に載せられた上段部と下段部の上に載置された中段部とが横隣になることがあり、そのため、中段部の正面に上段部が対向配置されることが考えられる。しかしながら、この第２の使用態様では、机の上にある上段部の左側縁から左側板が退避させられているから、本棚（中段部）に対する書籍の出し入れの際に中段部が邪魔にならない。したがって、本棚の第２の使用態様において、中段部に対する書籍の出し入れを良好に行うことができる。これにより、第１および第２の使用態様のいずれにおいても、本棚に対する書籍の出し入れを良好に行うことができる。
【００１８】
また、この発明の一実施形態に係るシステム机における第２の使用態様において、前記上段部の前記左側板が取り外される構成であってもよい。この場合、机の上にある上段部から左側板が取り外されているから、本棚（中段部）に対する書籍の出し入れの際に上段部が邪魔にならない。したがって、本棚の第２の使用態様において、本棚（中段部）に対する書籍の出し入れを良好に行うことができる。
【００１９】
また、この発明の他の実施形態に係るシステム机における第２の使用態様において、前記上段部の前記左側板が、前記上段部の前記背板左側縁に、当該背板左側縁まわりに回転可能に連結される構成であり、第２の使用態様では、前記左側板を前記背板左側縁まわりに回動して、当該左側板が前記中段部の後方に配置される構成であってもよい。この場合、左側板が中段部の後方に配置されているから、本棚（中段部）に対する書籍の出し入れの際に上段部が邪魔にならない。また、左側板を取り外す構成と比較して、取り外した左側板を収納するための場所を別途設ける必要がない。
【００２０】
また、第２の使用態様では、前記上段部の背板左側縁と前記中段部の右側板とがジョイント金具やその他の連結具によって固定連結されていてもよい。
また、請求項３記載の発明によれば、請求項１または２に関連して説明した効果と同様の効果を奏する。
【図面の簡単な説明】
【００２１】
【図１】本発明の一実施形態に係るシステム机の第１の使用態様を示す斜視図である。
【図２】図１に示すシステム机の第２の使用態様を示す斜視図である。
【図３】この発明の他の実施形態に係るシステム机の第２の使用態様の要部を拡大して示す平面図である。
【図４】左右を入れ換えた場合におけるシステム机の第２の使用態様を示す斜視図である。
【発明を実施するための形態】
【００２２】
以下では、この発明の実施形態を、添付図面を参照して詳細に説明する。なお、以下では、上下方向と鉛直方向とは同じである。そして、前後方向Ｘ１および左右方向Ｙ１は水平方向に含まれている。
図１および図２は、本発明の一実施形態に係るシステム机１の斜視図である。
システム机１は、木製の学習机（机）２と木製の本棚３とを含み、机２と本棚３とが平面視でＬ字型になるように配置されている。本棚３は、独立して使用可能な自立型本棚であり、上下３分割構造を有している。このシステム机１は、本棚３の配置態様（使用態様）を、使用者（たとえば小学生から高校生くらいまでの学生）の好みに応じて切り換えることができるものである。たとえば、使用者が小学生である場合には、本棚３のユニットの１つを学習机２の上に載せてブックスタンドとすることにより、馴染みの深い本棚付学習机としてシステム机１を使用することができる。また、たとえば、使用者が中学生や高校生である場合には、本棚付学習机ではなく平机が好まれる場合があるので、学習机２を平机として用い、本棚３を学習机２から分離して独立して使用することができる。
【００２３】
本棚３は、その正面側幅方向が前後方向Ｘ１に沿うように、後述する学習机２の天板４の左側縁部４ｂに直交方向に組み合わされている。本棚３は、それぞれ本棚ユニットからなる下段部１１、中段部１２および上段部１３を備えている。具体的には、本棚３の全てのユニットを学習机２の左側に床置きする使用態様を第１の使用態様とし、中段部１２を学習机２上に載せてブックスタンドとして使用し、残りの２つのユニット１１，１３を上下に並べた状態で床置きして本棚として使用する使用態様を第２の使用態様とする。本棚３が第１の使用態様にあるシステム机１を図１に示し、本棚３が第２の使用態様にあるシステム机１を図２に示す。
【００２４】
図１および図２を参照して、学習机２の構成について説明する。
学習机２は、正面視が左右方向Ｙ１に長い長方形状の天板４と、天板４の右側縁部４ａを支えるための１枚の長方形状の右脚板５とを備えている。天板４の上面は、学習等の作業を行うための作業空間となっている。右脚板５は、その下端縁に取り付けられた右足６によって、鉛直に立つように支持されている。右脚板５は前後方向Ｘ１（天板４の右側縁部４ａの延びる方向）に沿っている。右足６は前後方向Ｘ１に延びる細長い木製のものである。
【００２５】
学習机２は、右脚板５と対をなす左脚板を備えていない。天板４の左側縁部４ｂは、天板４の上面が本棚３の最下のユニット（すなわち下段部１１）の上面に面一になるように、この最下のユニット（下段部１１）によって支持されている。すなわち、天板４は、右脚板５と本棚３とによって水平に支持されている。
図１および図２に示すように、天板４の下面側に引出し７が設けられている。また、天板４は、その下方空間に、学習机２に付属したワゴン８を収容可能に設けられている。このワゴン８は、多段の複数（たとえば３つ）の引出し９を有し、下面に複数のキャスタ１０が取り付けられて移動可能な構成にされている。しかし、引出し７のない天板を採用することもできるし、また、ワゴン８が付属していない学習机２を採用することもできる。
【００２６】
次いで、本棚３の構成について説明する。
本棚３では、下段部１１、中段部１２および上段部１３の幅および奥行きが互いに等しくされている。下段部１１は、天板４の左側縁部４ｂ（前後方向Ｘ１）に沿うように、天板４の左側縁部４ｂに直交するように組み合わされている。
下段部１１、中段部１２および上段部１３は、下段部１１の上に中段部１２を、下段部１１と向きを合わせて載置するとともに、中段部１２の上に上段部１３を下段部１１と向きを合わせて載置することにより、上下３段に組立て可能である。そして、図１に示す第１の使用態様では、下段部１１の上に、中段部１２および上段部１３が、下からこの順に積み上げられている。この第１の使用態様では、中段部１２および上段部１３の正面側幅方向は、それぞれ前後方向Ｘ１に沿っている。
【００２７】
また、下段部１１および上段部１３は、下段部１１の上に上段部１３を直接載置することにより、上下２段に組立て可能である。そして、図２に示す第２の使用態様では、第１の使用態様で下段部１１の上に載置されていた中段部１２が下段部１１から取り外されるとともに、下段部１１の上に直接上段部１３が載せられている。この第２の使用態様においても、上段部１３の正面側幅方向は前後方向Ｘ１に沿っている。
【００２８】
この第２の使用態様では、下段部１１から取り外された中段部１２は、その正面が前面に向くように（その正面側幅方向が左右方向Ｙ１に沿うように）９０°回した状態で、学習机２の天板４上面における後ろ側部分に載せられている。
図１および図２を参照して、下段部１１について説明する。
下段部１１は学習机２と、高さ寸法が等しくされている。下段部１１は、左右に間隔を空けて配置された左側板２１および右側板２２と、この左右側板２１，２２の下端を連結する底板２３と、左右側板２１，２２の上端を連結する上板２４と、左右側板２１，２２、底板２３、および上板２４に取り囲まれる空間を、左右に仕切る固定型の仕切板２５と、仕切板２５によって左右に仕切られた各空間内に、底板２３または上板２４とそれぞれ上下に間隔を空けて配置された１枚または複数枚（図１ではたとえば１枚）の棚板２６とを備えている。仕切板２５は鉛直姿勢をなし、たとえば、左側板２１と右側板２２との間において、仕切板２５と左側板２１との間の左右間隔と、仕切板２５と右側板２２との間の左右間隔とが等しくなる位置に配置されている。
【００２９】
下段部１１の上板２４は、第１上板２８および第２上板２９を上下に重ね合わせた状態で、かつ互いに接合させることにより構成されている。上側の第１上板２８および下側の第２上板２９の奥側端縁は互いに整合しており、かつ上側の第１上板２８は、下側の第２上板２９よりも奥行き寸法が小さい。そのため、下段部１１の幅方向（すなわち前後方向Ｘ１）の全域にわたって、第１上板２８の正面側端面が第２上板２９の正面側端面よりも奥側（左側）に位置している。そして、第２上板２９の上面正面側端縁部と、第１上板２８の正面側端面とによって、天板４の左側縁部４ｂを受け止めて収容支持するための受け止め段部が形成されている。第１上板２８は天板４と同じ厚みに形成されている。したがって、本棚３の下段部１１の上板２４の上面（すなわち第１上板２８の上面）と、天板４の上面とは面一をなしている（同一の平面を有している）。なお、下段部１１の背面（左側の面）は、その全域が背板３０によって閉塞されていてもよいし、その一部または全域が開放されていてもよい。
【００３０】
また、たとえば、下段部１１の上板２４の正面側端縁部の上面と、天板４の左側縁部４ｂの上面とが、図１および図２において破線で示す１または複数（図１および図２ではたとえば２つ。）の連結金具５１により固定連結されていてもよい。この連結金具５１による固定連結により、天板４の左側縁部４ｂが下段部１１によって固定的に支持される。連結金具５１による固定連結だけでも、十分な支持強度が確保できる場合には、受け止め段部で天板４の左側縁部４ｂを支持する必要がない。この場合には、上板２４から第２上板２９を省略し、上板２４を第１上板２８だけで構成することも可能である。
【００３１】
次いで、中段部１２について説明する。図１を参照しつつ、本棚３が第１の使用態様にあるときの中段部１２について説明する。
中段部１２は、左右に間隔を空けて配置された左側板３１および右側板３２と、この左右側板３１，３２の後縁を連結する背板３３と、背板３３に固定され、上下に延びて左側板３１と右側板３２とで挟まれる空間を左右に仕切る固定型の仕切板３４とを備えている。左側板３１は中段部１２の左側縁に配置されるものであり、背板３３に対し取り外し可能に取り付けられている。仕切板３４は鉛直姿勢をなし、たとえば、左側板３１と右側板３２との間において、仕切板３４と左側板３１との間の左右間隔と、仕切板３４と右側板３２との間の左右間隔とが等しくなる位置に配置されている。
【００３２】
背板３３にはライトユニット３８が取り付けられている。
図１では仕切板３４によって左右に仕切られた空間のうち右側の空間（以下、「仕切板３４の右側の空間」という。）に引き出しユニット３５が設置されている。引き出しユニット３５の上面には、複数枚（図１および図２では、たとえば２枚）の可動型の仕切板３７が、それぞれ左右方向Ｙ１に移動可能に取り付けられている。
【００３３】
また、仕切板３４によって左右に仕切られた空間のうち左側の空間（以下、「仕切板３４の左側の空間」という。）には、複数枚（図１および図２では、たとえば２枚）の棚板３６が設置されている。各棚板３６は、左側板３１および仕切板３４に、取り外し可能に取り付けられている。各棚板３６は取付けに互換性を持たせている。
なお、中段部１２に、引き出しユニット３５を設置しない構成とすることもできる。また、中段部１２に設けられている仕切板３７は、前述のような２枚に限られず、１枚であってもよいし、または３枚以上であってもよい。また、中段部１２に仕切板３７が設けられていない構成とすることもできる。
【００３４】
次いで、上段部１３について説明する。図１を参照しつつ、本棚３が第１の使用態様にあるときの上段部１３について説明する。
上段部１３は中段部１２と、高さ寸法が等しくされている。上段部１３は、左右に間隔を空けて配置された左側板４１および右側板４２と、左側板４１および右側板４２のたとえば上下方向の略中央位置同士を連結する水平な連結板４３と、左側板４１および右側板４２の後縁を連結する背板４４と、連結板４３の上面で、それぞれ左右方向Ｙ１に移動可能な複数枚（図１および図２では、たとえば３枚。）の可動型の仕切板４５とを備えている。左側板４１は上段部１３の左側縁に配置されるものであり、背板４４に対し取り外し可能に取り付けられている。背板４４は、左側板４１と右側板４２との間の空間のうち連結板４３よりも上部分の背面だけを閉塞している。そのため、左側板４１と右側板４２との間の空間のうち連結板４３よりも下部分の後面は開放している。なお、当該下部分の後面を背板などで閉塞する構成であってもよい。
【００３５】
本棚３の第１の使用態様では、中段部１２の正面側の空間、および上段部１３の正面側の空間に他の部材が存在していないので、中段部１２に対しても、また上段部１３に対しても、書籍の出し入れを良好に行うことができる。
次いで、第２の使用態様における本棚３の構成について説明する。この第２の使用態様では、図２に示すように中段部１２は天板４の上面における後ろ部分（奥側）に、その正面を前方に向けて配置されている。すなわち、第１の使用態様からは中段部１２は９０°回されている。このとき、中段部１２は、その背面が天板４の後端縁部に沿うように配置されている。前述のように上段部１３は中段部１２と等しい高さ寸法を有し、下段部１１は学習机２と等しい高さ寸法を有するので、下段部１１の上に載せられた上段部１３の上端縁と、学習机２の上に載せられた中段部１２の上端縁とが揃うようになる。そのため、本棚３が第２の使用態様である場合には、学習机２と本棚３とがＬ字型に組み合わされたシステム机１の高さが一様になり美しい。
【００３６】
この第２の使用態様では、左側板３１が背板３３から取り外されるとともに、仕切板３４の左側の空間から棚板３６が取り除かれている。取り外された左側板３１は、システム机１内外に設けられた所定の収納場所に収納固定または収納される。また、取り除かれた棚板３６を、図２に実線で示すように下段部１１で棚板として使用することもできるし、システム机１内外に設けられた所定の収納場所に収納しておくこともできる。なお、図２では、仕切板３４の右側の空間に引き出しユニット３５が残された状態が示されているが、第２の使用態様において、仕切板３４の右側の空間から引き出しユニット３５が取り外されてもよい。
【００３７】
また、第２の使用態様において、仕切板３４の左側の空間に棚板３６を残しておくこともできる。この場合、たとえば図２に二点鎖線で示すように、１枚の棚板３６を、仕切板３４の左側の空間に残すとともに、この棚板３６を、その上面が下段部１１の上にある上段部１３の連結板４３の上面と面一になるように取り付けることもできる。このとき、棚板３６の下面の左端部と連結板４３の下面の正面側端縁部とが受け金具（図示しない）によって連結固定される。すなわち、棚板３６の左側縁部が連結板４３によって支持される。一方、棚板３６の右端縁部は、仕切板３４に形成された小孔に挿入されたボルト等により支持されているのは言うまでもない。
【００３８】
また、第２の使用態様において、棚板３６をシステム机１外に取り除いておくこともできる。
第２の使用態様では、前述のように下段部１１の上に直接上段部１３が載せられている。そして、中段部１２の背板３３の左側縁部３３ａ（図２参照）の前面と、上段部１３の右側板４２の内側側面（図２で示す前側の面）の正面側端縁部（図２で示す右端部）とがジョイント金具５０（図２参照）により固定連結されている。このジョイント金具５０による固定連結により、下段部１１の上に載置された上段部１３によって中段部１２が固定的に支持される。これにより、第２の使用態様において、中段部１２を学習机２の天板４の上に安定して載せておくことができる。ジョイント金具５０は、正面側から背板３３および右側板４２を固定するため、その操作がし易く、かつ、学習机２の上に載せられた中段部１２と、下段部１１の上に載せられた上段部１３とをしっかり固定できる。
【００３９】
この第２の使用態様では、学習机２の上に載せられた中段部１２と、上段部１３とが左右横隣になる。しかしながら、中段部１２から左側板３１が取り除かれているので、上段部１３の正面側の空間と中段部１２とが干渉しない。したがって、本棚３の第２の使用態様において、上段部１３に対する書籍の出し入れを良好に行うことができる。これにより、第１および第２の使用態様のいずれにおいても、本棚３に対する書籍の出し入れを良好に行うことができる。
【００４０】
また、このシステム机１の本棚３は、前述の第１および第２の使用態様の他に、上段部１３を学習机２上に載せてブックスタンドとして使用し、残りの２つのユニット１１，１２を上下に並べた状態で床置きして本棚として使用する第３の使用態様（本願請求項２における「第２の使用態様」）を採ることができる。本棚３の第３の使用態様では、上段部１３は天板４の上面における後ろ部分（奥側）に、その正面を前方に向けて配置されている。すなわち、第１の使用態様からは上段部１３は９０°回されている。このとき、上段部１３は、その背面が天板４の後端縁部に沿うように配置されている。また、本棚３の第３の使用態様では、中段部１２から上段部１３が取り外されている。すなわち、下段部１１と下段部１１の上に載せられた中段部１２とによって本棚が構成されている。
【００４１】
前述のように上段部１３は中段部１２と等しい高さ寸法を有し、下段部１１は学習机２と等しい高さ寸法を有するので、下段部１１の上に載せられた中段部１２の上端縁と、学習机２の上に載せられた上段部１３の上端縁とが揃うようになる。そのため、本棚３が第３の使用態様である場合には、学習机２と本棚３とがＬ字型に組み合わされたシステム机１の高さが一様になり美しい。
【００４２】
第３の使用態様では、上段部１３の左側板４１が背板４４から取り外されている。そして、上段部１３の背板４４の左側縁部の前面と、中段部１２の右側板３２の内側側面（図１で示す左面）の正面側端縁部とがジョイント金具５０（図２参照）と同様のジョイント金具により固定連結されている。このジョイント金具による固定連結により、下段部１１の上に載置された中段部１２によって上段部１３が固定的に支持される。これにより、第３の使用態様において、上段部１３を学習机２の天板４の上に安定して載せておくことができる。ジョイント金具は、正面側から背板４４および右側板３２を固定するため、その操作がし易く、かつ、学習机２の上に載せられた上段部１３と、下段部１１の上に載せられた中段部１２とをしっかり固定できる。
【００４３】
この第３の使用態様では、学習机２の上に載せられた上段部１３と、中段部１２とが左右横隣になる。しかしながら、上段部１３から左側板４１が取り除かれているので、中段部１２の正面側の空間と上段部１３とが干渉しない。したがって、本棚３の第３の使用態様において、中段部１２に対する書籍の出し入れを良好に行うことができる。
図３は、この発明の他の実施形態に係るシステム机の第２の使用態様の要部を拡大して示す平面図である。
【００４４】
この図３に示す実施形態が、前述の実施形態と相違する点は、前述の左側板３１に代えて、左側板６１を、背板３３の左側縁部３３ａ（図２および図３参照）に、左側縁部３３ａまわりに回転可能に連結した点にある。左側板６１が、たとえば１または複数（たとえば２つ）のヒンジ６２（図３では一方のみ図示）を介して、背板３３に連結されている。各ヒンジ６２は、背板３３の左端面の後端縁に沿って上下方向に延びるヒンジ軸６３を有しており、たとえば、背板３３の左端面と、左側板６１の内側側面（図３で実線で示す状態の下面）の左側縁部左側縁部とを連結している。
【００４５】
本棚３の第１の使用態様では、図３に二点鎖線で示すように、左側板６１は中段部１２の左側縁において、背板３３とほぼ直交する直交姿勢をなしている。この場合、左側板６１は固定用金具（図示しない）などによって、その直交姿勢に維持されている。
本棚３の第２の使用態様では、第１の使用態様から固定用金具が取り外され、左側板６１がヒンジ軸６３まわりに左まわりに回動されて、左側板６１が、背板３３とほぼ平行になる退避姿勢（中段部１２の左側縁から、左側板６１が退避させられる姿勢。図３に実線で示す姿勢。）をなしている。この退避姿勢において、左側板６１は前後方向に関し、中段部１２の背板３３よりも背板１枚分奥側に位置している。本棚３の第２の使用態様において、退避姿勢にある左側板６１の前面は、下段部１１の上に載せられる上段部１３（具体的には右側板４２）の後方に配置される。この場合、左側板６１が上段部１３の後方に配置された後に、中段部１２の背板３３左側縁と上段部１３の右側板４２とが固定連結される。
【００４６】
第２の使用態様では、左側板６１が上段部１３の正面側の空間から退避させられており、そのため、上段部１３の正面側の空間と中段部１２とが干渉しない。したがって、本棚３の第２の使用態様において、上段部１３に対する書籍の出し入れを良好に行うことができる。また、前述の実施形態における左側板３１を取り外す構成と比較して、取り外した左側板６１を収納するための場所を別途設ける必要がない。
【００４７】
また、左側板６１と同様に上段部１３の左側板４１を、上段部１３の背板４４の左側縁に、当該背板４４左側縁まわりに回転可能に連結した構成とすることもできる。この場合、ヒンジ６２（図３参照）と同様のヒンジを介して、左側板４１と背板４４とが連結されている。
本棚３の第１の使用態様では、左側板４１は上段部１３の左側縁において、背板４４とほぼ直交する直交姿勢をなしている。この場合、左側板４１は固定用金具（図示しない）などによって、その直交姿勢に維持されている。
【００４８】
本棚３の第３の使用態様では、第１の使用態様から固定用金具が取り外され、左側板４１が、背板４４とほぼ平行になる退避姿勢（上段部１３の左側縁から、左側板４１が退避させられる姿勢。）をなしている。この退避姿勢において、左側板４１は前後方向に関し、上段部１３の背板４４よりも背板１枚分奥側に位置している。本棚３の第３の使用態様において、退避姿勢にある左側板４１の前面は、下段部１１の上に載せられる中段部１２（具体的には右側板３２）の後方に配置される。この場合、左側板４１が中段部１２の後方に配置された後に、上段部１３の背板４４左側縁と中段部１２の右側板３２とが固定連結される。
【００４９】
第３の使用態様では、左側板４１が中段部１２の正面側の空間から退避させられている。そのため、中段部１２の正面側の空間と上段部１３とが干渉しない。したがって、本棚３の第３の使用態様において、中段部１２に対する書籍の出し入れを良好に行うことができる。また、前述の実施形態における左側板４１を取り外す構成と比較して、取り外した左側板４１を収納するための場所を別途設ける必要がない。
【００５０】
以上、この発明の２つの実施形態について説明したが、この発明は他の形態で実施することもできる。
たとえば、前述の各実施形態では、ジョイント金具として、前面（正面）側から取り付け可能な構成のものを例に挙げて説明したが、このような金具は、後面（背面）側から取り付け可能な構成であってもよい。また、第２の使用態様における中段部１２の背板３３左側縁と上段部１３の右側板４２との固定連結や、第３の使用態様における上段部１３の背板４４左側縁と中段部１２の右側板３２との固定連結を、ジョイント金具５０ではなく、他の連結具などを用いた他の方法によって行うものであってもよい。
【００５１】
また、前述の各実施形態では、中段部１２および上段部１３の左側板３１，４１，６１の双方について、中段部１２および上段部１３の左側縁からそれぞれ退避可能な構成を採用したが、このような構成が、中段部１２および上段部１３の左側板３１，４１，６１の一方のみに採用されていてもよい。
また、システム机１は左右を入れ換えた構成、すなわち、天板４の左右を入れ換えるとともに、中段部１２および上段部１３の左右側板３１，３２，４１，４２の左右を入れ換えた構成を採用することもできる。この場合、本棚３（下段部１１）が、その正面側幅方向が学習机２の天板４の右側縁部４ａに沿って位置するように（前後方向Ｘ１に沿って延びるように）、天板４の右側縁部４ａに直交方向に組み合わされている。このとき、下段部１１で学習机２の天板４の右側縁部４ａが支持されている。
【００５２】
そして、本棚３の第２の使用態様では、右側板３２が中段部１２の右側縁から退避させられるとともに、中段部１２の背板３３の右側縁と上段部１３の左側板３１とが固定連結される。また、本棚３の第３の使用態様では、右側板４２が上段部１３の右側縁から退避させられるとともに、上段部１３の背板４４の右側縁と中段部１２の左側板３１とが固定連結される。この場合における第２の使用態様の一例を、図４に示す。
【００５３】
また、前述の各実施形態では、中段部１２にライトユニット３８が設けられた構成を例に挙げたが、中段部１２ではなく上段部１３にライトユニットを設けることもできる。この場合には、第３の使用態様を採るときには、このライトユニットを天板４に直接取り付けることができるようになっていてもよい。
また、前述の各実施形態では、本棚３を、第１の使用態様と、第２の使用態様と、第３の使用態様との間で切換え可能として説明したが、本棚３が、第１の使用態様と第２の使用態様との間だけで切換え可能な構成であってもよいし、また、第１の使用態様と第３の使用態様との間だけで切換え可能な構成であってもよい。
【００５４】
その他、特許請求の範囲に記載された事項の範囲で種々の設計変更を施すことが可能である。
【符号の説明】
【００５５】
１  システム机
２  学習机（机）
３  本棚
４  天板
４ｂ  左側縁部
５  右脚板
１１  下段部
１２  中段部
１３  上段部
３１  （中段部の）左側板
３２  （中段部の）右側板
３３  （中段部の）背板
４１  （上段部の）左側板
４２  （上段部の）右側板
４４  （上段部の）背板
５０  ジョイント金具
【図１】
0005421308.tif 000002
【図２】
0005421308.tif 000003
【図３】
0005421308.tif 000004
【図４】
0005421308.tif 000005